(57)【要約】【課題】  調整式外掛けディスプレイの提供。【解決手段】  ディスプレイ本体の前側にディスプレイが取り付けられ、ディスプレイ本体内の収容室に位置決め機構が収容され、ディスプレイ本体の昇降制御に供され、連結シートの前側がディスプレイ本体に枢設され、その後側が取り付け機構に連結され、該取り付け機構が本発明と自動車内装の固定に供され、以上の構成により、ディスプレイに上下昇降と前後仰角の調整の機能が付与され、また取り付けの必要により、本発明が車内の適当な位置に取り外し自在に取り付けられる。【選択図】        図１
2005047366.tif 000002
【特許請求の範囲】
【請求項１】
調整式外掛けディスプレイにおいて、ディスプレイ本体の前側にディスプレイが取り付けられ、該ディスプレイ本体内に位置決め機構が収容されてディスプレイ本体の上下昇降制御に供され、連結シートの前側が該ディスプレイ本体に枢設され、後側が取り付け機構に連結され、該取り付け機構がディスプレイと自動車内装の固定に供され、該位置決め機構が、
該ディスプレイの昇降位置を固定する位置決め板と、
該位置決め板の位置決めを解除するのに用いられて該位置決め板を上下にスライド可能とする制動板と、
を具えたことを特徴とする、調整式外掛けディスプレイ。
【請求項２】
請求項１記載の調整式外掛けディスプレイにおいて、位置決め板の片体の上方と下方にバネを収容するバネ収容溝と限位収容溝が設けられ、該位置決め板の一面の上縁に斜めブロックが設けられ、中段に第１ラックが凸設され、別に該位置決め板の一側に第２ラックが設けられたことを特徴とする、調整式外掛けディスプレイ。
【請求項３】
請求項１記載の調整式外掛けディスプレイにおいて、制動板の片体に二つの限位孔が設けられ、該制動板の上部に押しボタンが套設され、且つ該制動板の一側の上段に斜め凸片が凸設され、下部にラックが設けられたことを特徴とする、調整式外掛けディスプレイ。
【請求項４】
請求項１記載の調整式外掛けディスプレイにおいて、位置決め機構が限位蓋板を具え、該限位蓋板に限位柱が設けられたことを特徴とする、調整式外掛けディスプレイ。
【請求項５】
請求項１記載の調整式外掛けディスプレイにおいて、取り付け機構が固定支持座と固定ソケットを具え、該固定ソケットに固定支持座の挿入部が挿入される収容溝が設けられたことを特徴とする、調整式外掛けディスプレイ。
【請求項６】
請求項１記載の調整式外掛けディスプレイにおいて、ディスプレイ本体よりプラグを具えた線体が延伸されて該線体が信号ホストマシンとの連接に供されることを特徴とする、調整式外掛けディスプレイ。
【請求項７】
請求項１記載の調整式外掛けディスプレイにおいて、ディスプレイ本体の上縁に凹口が設けられ、並びに該凹口より収容溝が下向きに延伸され、この収容溝に二つの限位柱が設けられたことを特徴とする、調整式外掛けディスプレイ。
【請求項８】
請求項１記載の調整式外掛けディスプレイにおいて、ディスプレイ本体の後方に収容室が設けられ、収容室がカバー板で閉じられたことを特徴とする、調整式外掛けディスプレイ。
【請求項９】
請求項１記載の調整式外掛けディスプレイにおいて、ディスプレイ本体の後方に収容室が設けられ、該収容室の中間に上下のガイドロッド収容溝が設けられ、且つ各ガイドロッド収容溝にネジ孔が設けられてガイドロッドをボルトを組み合わせて固定するのに供されることを特徴とする、調整式外掛けディスプレイ。
【請求項１０】
請求項６記載の調整式外掛けディスプレイにおいて、ディスプレイ本体の後方に設けられた収容室の内側の一側の上下に、相互に対応する限位柱が設けられ、且つこの一対の限位柱より上方に限位口が設けられ、中間に中空部が設けられ、また該収容室のもう一側の内側にスロットが設けられ、該スロットの一側にラックが設けられ、該収容室の下縁に二つの板バネ収容室が設けられたことを特徴とする、調整式外掛けディスプレイ。
【請求項１１】
請求項１記載の調整式外掛けディスプレイにおいて、連結シートがベースに枢軸が組み合わされてなることを特徴とする、調整式外掛けディスプレイ。
【請求項１２】
請求項８記載の調整式外掛けディスプレイにおいて、連結シートのベースの正面にガイドロッドが通される枢設孔が設けられ、該枢設孔の一側に位置決めラックが設けられ、別側にダンパが設けられてディスプレイ本体の収容室のスロットの側縁のラックに組み合わされ、また該ベースの両側の上下に輪軸が凸設されてローラが套設されて、ディスプレイ本体の上下移動が流暢とされ、且つ該ベースの両側より後方に二つの支持片が延伸されて、該二つの支持片に軸孔が設けられたことを特徴とする、調整式外掛けディスプレイ。
【発明の詳細な説明】
【技術分野】
【０００１】
本発明は調整式外掛けディスプレイに係り、特に、ディスプレイに上下昇降と仰角調整機能が付与され、且つ取り付けの必要により車内の適当な位置に取り外し自在に取り付けられる調整式外掛けディスプレイに関する。
【背景技術】
【０００２】
経済と科学技術の発展に伴い、人々は交通工具に対して速度と快適さのほか、マルチメディア、例えばＣＤ、ＶＣＤ、ＤＶＤ、ＭＰ３、ＮＡＶＩ等の視聴享受機能を求めるようになり、マルチメディアシステムはすでに車に必要な設備とされている。しかし車内のダッシュボードの空間は有限であり、いかにマルチメディアシステムとディスプレイを取り付けるかが難しく、また、メーカーによってはダッシュボードにディスプレイを嵌め込んだり、高価な表示機構を設計し、ディスプレイをマルチメディアシステム本体内に収納するか、或いは独立したディスプレイを機構に収納している。これには例えば特許文献１がある。しかし、この特許文献１の最大の欠点は、使用者の視線の高さに合わせてディスプレイの上下位置と前後の仰角角度を調整することができず、このため車内にこのような高価な装置を配備しても、却って鑑賞に不便であるという点である。
【０００３】
【特許文献１】台湾特許出願第９０２０１６７３号明細書
【発明の開示】
【発明が解決しようとする課題】
【０００４】
本発明は一種の調整式外掛けディスプレイを提供することを目的とし、それは、使用者の視線の必要に応じてディスプレイの上下位置と前後仰角を調整でき、且つ取り付けの必要により、取り外し自在に車内の適当な位置に設置できるものとする。
【課題を解決するための手段】
【０００５】
請求項１の発明は、調整式外掛けディスプレイにおいて、ディスプレイ本体の前側にディスプレイが取り付けられ、該ディスプレイ本体内に位置決め機構が収容されてディスプレイ本体の上下昇降制御に供され、連結シートの前側が該ディスプレイ本体に枢設され、後側が取り付け機構に連結され、該取り付け機構がディスプレイと自動車内装の固定に供され、該位置決め機構が、
該ディスプレイの昇降位置を固定する位置決め板と、
該位置決め板の位置決めを解除するのに用いられて該位置決め板を上下にスライド可能とする制動板と、
を具えたことを特徴とする、調整式外掛けディスプレイとしている。
請求項２の発明は、請求項１記載の調整式外掛けディスプレイにおいて、位置決め板の片体の上方と下方にバネを収容するバネ収容溝と限位収容溝が設けられ、該位置決め板の一面の上縁に斜めブロックが設けられ、中段に第１ラックが凸設され、別に該位置決め板の一側に第２ラックが設けられたことを特徴とする、調整式外掛けディスプレイとしている。
請求項３の発明は、請求項１記載の調整式外掛けディスプレイにおいて、制動板の片体に二つの限位孔が設けられ、該制動板の上部に押しボタンが套設され、且つ該制動板の一側の上段に斜め凸片が凸設され、下部にラックが設けられたことを特徴とする、調整式外掛けディスプレイとしている。
請求項４の発明は、請求項１記載の調整式外掛けディスプレイにおいて、位置決め機構が限位蓋板を具え、該限位蓋板に限位柱が設けられたことを特徴とする、調整式外掛けディスプレイとしている。
請求項５の発明は、請求項１記載の調整式外掛けディスプレイにおいて、取り付け機構が固定支持座と固定ソケットを具え、該固定ソケットに固定支持座の挿入部が挿入される収容溝が設けられたことを特徴とする、調整式外掛けディスプレイとしている。
請求項６の発明は、請求項１記載の調整式外掛けディスプレイにおいて、ディスプレイ本体よりプラグを具えた線体が延伸されて該線体が信号ホストマシンとの連接に供されることを特徴とする、調整式外掛けディスプレイとしている。
請求項７の発明は、請求項１記載の調整式外掛けディスプレイにおいて、ディスプレイ本体の上縁に凹口が設けられ、並びに該凹口より収容溝が下向きに延伸され、この収容溝に二つの限位柱が設けられたことを特徴とする、調整式外掛けディスプレイとしている。
請求項８の発明は、請求項１記載の調整式外掛けディスプレイにおいて、ディスプレイ本体の後方に収容室が設けられ、収容室がカバー板で閉じられたことを特徴とする、調整式外掛けディスプレイとしている。
請求項９の発明は、請求項１記載の調整式外掛けディスプレイにおいて、ディスプレイ本体の後方に収容室が設けられ、該収容室の中間に上下のガイドロッド収容溝が設けられ、且つ各ガイドロッド収容溝にネジ孔が設けられてガイドロッドをボルトを組み合わせて固定するのに供されることを特徴とする、調整式外掛けディスプレイとしている。
請求項１０の発明は、請求項６記載の調整式外掛けディスプレイにおいて、ディスプレイ本体の後方に設けられた収容室の内側の一側の上下に、相互に対応する限位柱が設けられ、且つこの一対の限位柱より上方に限位口が設けられ、中間に中空部が設けられ、また該収容室のもう一側の内側にスロットが設けられ、該スロットの一側にラックが設けられ、該収容室の下縁に二つの板バネ収容室が設けられたことを特徴とする、調整式外掛けディスプレイとしている。
請求項１１の発明は、請求項１記載の調整式外掛けディスプレイにおいて、連結シートがベースに枢軸が組み合わされてなることを特徴とする、調整式外掛けディスプレイとしている。
請求項１２の発明は、請求項８記載の調整式外掛けディスプレイにおいて、連結シートのベースの正面にガイドロッドが通される枢設孔が設けられ、該枢設孔の一側に位置決めラックが設けられ、別側にダンパが設けられてディスプレイ本体の収容室のスロットの側縁のラックに組み合わされ、また該ベースの両側の上下に輪軸が凸設されてローラが套設されて、ディスプレイ本体の上下移動が流暢とされ、且つ該ベースの両側より後方に二つの支持片が延伸されて、該二つの支持片に軸孔が設けられたことを特徴とする、調整式外掛けディスプレイとしている。
【発明の効果】
【０００６】
本発明は一種の調整式外掛けディスプレイを提供し、それは、使用者の視線の必要に応じてディスプレイの上下位置と前後仰角を調整でき、且つ取り付けの必要により、取り外し自在に車内の適当な位置に設置できる。
【発明を実施するための最良の形態】
【０００７】
本発明は、上述の従来のディスプレイの使用上の欠点を改善する調整式外掛けディスプレイを提供するものである。それは、ディスプレイ本体の前側にディスプレイが取り付けられ、ディスプレイ本体内の収容室に位置決め機構が収容され、ディスプレイ本体の昇降制御に供され、連結シートの前側がディスプレイ本体に枢設され、その後側が取り付け機構に連結され、該取り付け機構が本発明と自動車内装の固定に供され、以上の構成により、ディスプレイに上下昇降と前後仰角の調整の機能が付与され、また取り付けの必要により、本発明が車内の適当な位置に取り外し自在に取り付けられたことを特徴とする。
【実施例１】
【０００８】
図１から図５に示されるように、本発明はディスプレイ本体１の前側にディスプレイ１０が取り付けられ、ディスプレイ本体１内に位置決め機構２が収容され、ディスプレイ本体１の昇降制御に供される。連結シート３の前側がディスプレイ本体１に枢設され、その後側が取り付け機構４に連結されている。
【０００９】
上述のディスプレイ本体１は、ディスプレイ１０が取り付けられる板体１１とされ、該板体１１の後方に収容室１３が設けられ、並びにカバー板１２で閉じられ、該カバー板１２の左右側に長孔１２１、１２２が設けられ、並びに該ディスプレイ本体１よりプラグＢ１を具えた線体Ｂ２が延伸されて信号ホストマシン５との連接に供される。該収容室１３の中間の上下に上下のガイドロッド収容溝１３１、１３２が設けられ、且つ該ガイドロッド収容溝１３１、１３２にネジ孔１３１１が設けられてガイドロッド１４がボルトＡでネジ止めされ、該収容室１３の内側の上下に、相互に対応する限位柱１３３、１３４が設けられ、この一対の限位柱１３３、１３４より上方に限位口１３５が設けられ、中間に中空部１３６が設けられ、また、該収容室１３の多側の内側にスロット１３７が設けられ、且つスロット１３７の一側にラック１３７１が設けられ、該収容室１３の下縁に二つの板バネ収容室１３８、１３９が設けられている。該板体１１の上縁に凹口１１１が設けられ、並びに下向きに収容溝１１２が延伸され、且つ該収容溝１１２に二つの限位柱１１３が設けられている。
【００１０】
上述の位置決め機構２は、
制動板２１、位置決め板２２、限位蓋板２３を具えている。
該制動板２１は、ディスプレイ本体１の収容溝１１２に収容され、該制動板２１はその板体上にディスプレイ本体１の限位柱１１３に対応する二つの限位孔２１１、２１２を具え、また、該制動板２１の上部に凸片２１３が凸設されて、押しボタン２１４が套設され、別に、該制動板２１の一側に上段に斜め凸片２１５が凸設され、下段にラック２１６が設けられ、また、該制動板２１の一面にバネ係止柱２１７が設けられ、バネＣ１が該バネ係止柱２１７とディスプレイ本体１の限位柱１１３に係止される。
【００１１】
位置決め板２２は、その板体の上方と下方それぞれにバネ収容溝２２１、２２２と限位収容溝２２３、２２４が設けられ、且つ各バネ収容溝２２１、２２２がディスプレイ本体１の上下の限位柱１３３、１３４とバネＣの収容に供され、該位置決め板２２の一面の上縁に制動板２１の斜め凸片２１５に対応する斜めブロック２２５が設けられ、中段に制動板２１のラック２１６に対応する第１ラック２２６が設けられ、該位置決め板２２の第１ラック２２６が該ディスプレイ本体１の限位口１３６より突出し、別に該位置決め板２２の一側に第２ラック２２７が設けられている。
【００１２】
限位蓋板２３は、位置決め板２２を閉じることができ、且つ限位蓋板２３の一面に位置決め板２２の限位収容溝２２３、２２４に対応する限位柱２３１、２３２が凸設されている。
【００１３】
上述の連結シート３は、ベース３１をその主体とし、枢軸３２が組み合わされてなる。該ベース３１はその正面にガイドロッド１４に套設される枢設孔３１１が凸設され、且つ該枢設孔３１１の一側に位置決め板２２の第２ラック２２７に対応する位置決めラック３１２が設けられ、別側にダンパ３１３が設けられ、ディスプレイ本体１の収容室１３のスロット１３７側縁のラック１３７１に組み合わされ、また、該ベース３１の両側の上下に輪軸３１９が凸設されてローラ３１４が套設され、これによりディスプレイ本体１の上下移動が順調に行なわれ、且つ該ベース３１の両側に後ろ向きに延伸された二つの支持片３１５が設けられ、この二つの支持片３１５に軸孔３１６が設けられ、また、該ベース３１がディスプレイ本体１の収容室１３に収容され、且つ該ベース３１の支持片３１５がカバー板１２の左右の長孔１２１、１２２より突出し、該ベース３１の左右の下縁に板バネＤの一端がネジ止めされ、該板バネＤの別端が該ディスプレイ本体１の板バネ収容室１３８、１３９に収容される。該枢軸３２の両側にネジ部３２１が設けられ、且つ該枢軸３２がベース３１の支持片３１５の軸孔３１６に通され、且つ該支持片３１５の内側と外側にあって該枢軸３２に少なくとも一つのワッシャ３１７が套設され、最も外縁がさらに締めつけナット３１８で螺合されている。
【００１４】
上述の取り付け機構４は、固定支持座４１、固定ソケット４２で組成されている。
該固定支持座４１は、Ｈ形主体とされ、該固定支持座４１に前方に延伸されたＵ形部４１０が設けられ、該Ｕ形部４１０の両側中間に軸溝４１１、４１２が設けられて枢軸３２の連接に供され、且つ該軸溝４１１、４１２に垂直に、該軸溝４１１、４１２を貫通するネジ孔４１３、４１４が設けられ、ボルトＡが螺合されて枢軸３２の限位に供され、該固定支持座４１の中段を貫通するように円孔４１５が設けられ、締めつけボルト４３が組み合わされ、該固定支持座４１の後側に二つの挿入部４１６、４１７が設けられている。
【００１５】
該固定ソケット４２は、その本体に、固定支持座４１の挿入部４１６、４１７に対応する収容溝４２１、４２２が設けられ、且つこの二つの収容溝４２１、４２２の間に固定支持座４１の円孔４１５に対応するネジ孔４２３が設けられ、且つ該固定ソケット４２の外縁よりネジ孔４２４を具えた側翼４２５が延伸されている。
【００１６】
本発明は以上の部品で組成され、図２、３に示されるように、使用者が本発明を取り付けたい時は、固定支持座４１の挿入部４１６、４１７を固定ソケット４２の収容溝４２１、４２２に挿入し、固定ソケット４２を必要に応じて信号ホストマシン５或いは自動車のダッシュボードＢ３の適当な部分に設置し、さらに締めつけボルト４３を固定支持座４１の円孔４１５に通し、固定ソケット４２のネジ孔４２３にねじ込み、最後に線体Ｂ２のプラグＢ１を信号ホストマシン５或いは自動車のパネルＢ１の信号ソケットＢ４に接続すれば、本発明の組み付けが完成する。
【００１７】
図１、４、５、６に示されるように、使用者がディスプレイ本体１の上下位置を調整したい時は、位置決め機構２の押しボタン２１４を押圧すると、制動板２１が下向きに移動し、並びに下にバネＣ１を引っ張り、制動板２１の斜め凸片２１５が位置決め板２２の斜めブロック２２５を押圧し、位置決め板２２を一側に向けてスライドさせ、並びにバネ収容溝２２１、２２２内のバネＣを圧縮し、これにより位置決め板２２の第１ラック２２６、第２ラック２２７が制動板２１のラック２１６及び連結シート３のベース３１のラック３１２より離脱し、こうして使用者はディスプレイ本体１を上下にスライドさせることが可能となる。使用者がディスプレイ本体１を必要な位置に調整後に押しボタン２１４を開放すると、制動板２１がバネＣ１の回復力の影響により、制動板２１が上向きに回復し、位置決め板２２もまたバネ収容溝２２１、２２２内のバネＣ１の回復の押圧を受け、制動板２１に圧接され、さらに板バネＤの常態の下に引っ張る力により、位置決め板２２の第１ラック２２６と第２ラック２２７が再度制動板２１及びベース３１のラック２１６、３１２と係合し位置決めされる。
【００１８】
図７、８に示されるように、使用者がディスプレイ本体１の仰角を調整したい時は、使用者が手でディスプレイ本体１を必要な角度に回せば位置決めでき、これは、枢軸３２と締めつけナット３１８、連結シート３の螺合は緊密な螺合状態であり、ゆえにゆるんで脱落せず、その間に複数のワッシャ３１７が設けられているため、回転時の活動間隙が提供され、該ディスプレイ本体１が回転角度で位置決めされてぐらつかないことによる。
【００１９】
総合すると、本発明の構造は簡単で、且つ有効に周知のディスプレイの使用上の欠点を解決し、使用者が個人の好みと必要によりディスプレイの上下昇降、前後仰角の調整を行なえ、更に着脱自在に車内の適当な位置に取り付けられて使用者の閲覧に供することができる。
【００２０】
以上の実施例は本発明の実施範囲を限定するものではなく、本発明に基づきなしうる細部の修飾或いは改変は、いずれも本発明の請求範囲に属するものとする。
【図面の簡単な説明】
【００２１】
【図１】本発明の分解斜視図である。
【図２】本発明の実施例表示図である。
【図３】本発明の実施例表示図である。
【図４】本発明のディスプレイ本体の背面断面図である。
【図５】本発明のディスプレイ本体の正面断面図である。
【図６】本発明のディスプレイ本体の正面断面図である。
【図７】本発明の調整機構の動作表示図である。
【図８】図７のＩ−Ｉ断面図である。
【符号の説明】
【００２２】
１  ディスプレイ本体
１１  板体                １１１  凹口
１１２  収容溝            １１３  限位柱
１２  カバー板            １２１、１２２  長孔
１３  収容室              １３１、１３２  ガイドロッド収容溝
１３３、１３４  限位柱    １３１１  ネジ孔
１３５  限位口            １３６  中空部
１３７  スロット          １３７１  ラック
１３８、１３９  板バネ収容室
１４  ガイドロッド
２  位置決め機構
２１  制動板              ２１１、２１２  限位孔
２１３  凸片              ２１４  押しボタン
２１５  斜め凸片          ２１６  ラック
２１７  バネ係止柱
２２  位置決め板          ２２１、２２２  バネ収容溝
２２３、２２４  限位収容溝
２２５  斜めブロック      ２２６  第１ラック
２２７  第２ラック
２３  限位蓋板            ２３１、２３２  限位柱
３  連結シート
３１  ベース
３１１  枢設孔            ３１２  位置決めラック
３１３  ダンパ            ３１４  ローラ
３１５  支持片            ３１６  軸孔
３１７  ワッシャ          ３１８  ナット
３２  枢軸
４  取り付け機構
４１  固定支持座          ４１１、４１２  軸溝
４１３、４１４  ネジ孔    ４１５  円孔
４１６、４１７  挿入部
４２  固定ソケット        ４２１、４２２  収容溝
４２３  ネジ孔            ４２４  ネジ孔
４２５  側翼
５  信号ホストマシン
Ａ  ボルト
Ｂ１  プラグ
Ｂ２  線体
Ｂ３  ダッシュボード
Ｂ４  信号ソケット
Ｃ、Ｃ１  バネ
Ｄ  板バネ
【図１】
2005047366.tif 000003
【図２】
2005047366.tif 000004
【図３】
2005047366.tif 000005
【図４】
2005047366.tif 000006
【図５】
2005047366.tif 000007
【図６】
2005047366.tif 000008
【図７】
2005047366.tif 000009
【図８】
2005047366.tif 000010